(57)【要約】【課題】      複数の冷却熱交換器が冷媒回路に直列に設けられた冷凍装置において、必要な冷却熱交換器のみで庫内の冷却を行うことができるとともに、各冷却熱交換器の冷却能力を個別に調整できる冷凍装置を提供する。【解決手段】  冷媒回路（20）では、庫内をそれぞれ個別に冷却する第１と第２の冷却熱交換器（131,141）と、各冷却熱交換器（131,141）に対応する第１と第２の膨張機構（132,142）が設けられる。さらに、冷媒回路（20）には、一端が第１膨張機構（132）の流入端に接続し、他端が第１冷却熱交換器（131）と第２膨張機構（142）との間に接続するバイパス管（133）が設けられる。通常運転時には、第１，第２冷却熱交換器（131,141）を冷媒が流通し、各冷却熱交換器（131,141）の冷却能力が第１，第２膨張機構（132,142）によって調整される。第１冷却熱交換器（131）の冷却不要時には、冷媒はバイパス管（133）を介して第２冷却熱交換器（141）を流通し、第２冷却熱交換器（141）の冷却能力が第２膨張機構（142）によって調整される。【選択図】  図１
2006078014.tif 000002
【特許請求の範囲】
【請求項１】
異なる庫内をそれぞれ冷却する第１と第２の冷却熱交換器（131,141）、圧縮機（41,151）、及び膨張機構（132,142）を有する冷媒回路（20）を備え、該冷媒回路（20）には、上記第１，第２冷却熱交換器（131,141）が直列に接続されている冷凍装置であって、
上記膨張機構（132,142）は、上記第１冷却熱交換器（131）に流入する冷媒圧力を調整する第１膨張機構（132）と、上記第２冷却熱交換器（141）に流入する冷媒圧力を調整する第２膨張機構（142）とで構成され、
冷媒回路（20）には、一端が第１膨張機構（132）の流入端に接続され、他端が第１冷却用熱交換器（131）と第２膨張機構（142）との間に接続されるとともに流量調整機構（SV-6,137）を有する第１バイパス管（133）が設けられている冷凍装置。
【請求項２】
請求項１に記載の冷凍装置において、
第１バイパス管（133）は、第１冷却熱交換器（131）の伝熱管と接触するように形成された伝熱部（133a）を有する冷凍装置。
【請求項３】
異なる庫内をそれぞれ冷却する第１と第２の冷却熱交換器（131,141）、圧縮機（41,151）、及び膨張機構（132,142）を有する冷媒回路（20）を備え、該冷媒回路（20）には、上記第１，第２冷却熱交換器（131,141）が直列に接続されている冷凍装置であって、
上記膨張機構（132,142）は、上記第１冷却熱交換器（131）に流入する冷媒圧力を調整する第１膨張機構（132）と、上記第２冷却熱交換器（141）に流入する冷媒圧力を調整する第２膨張機構（142）とで構成され、
冷媒回路（20）には、一端が第１膨張機構（132）の流入端に接続され、他端が該第１膨張機構（132）と第１冷却熱交換器（131）との間に接続されるとともに流量調整機構（SV-6,137）を有する第１バイパス管（133）が設けられている冷凍装置。
【請求項４】
請求項１から３のいずれか１に記載の冷凍装置において、
冷媒回路（20）には、一端が第２膨張機構（142）の流入端に接続され、他端が該第２冷却熱交換器（141）の流出端に接続されるとともに流量調整機構（SV-6,137）を有する第２バイパス管（143）が設けられている冷凍装置。
【請求項５】
請求項１から４のいずれか１に記載の冷凍装置において、
流量制御機構は、開閉自在な電磁弁（SV-6）で構成されている冷凍装置。
【請求項６】
請求項１から４のいずれか１に記載の冷凍装置において、
流量制御機構は、開度可変な電動弁（137）で構成されている冷凍装置。
【請求項７】
請求項１から６のいずれか１に記載の冷凍装置において、
圧縮機（41,151）は、主圧縮機（41）と副圧縮機（151）とで構成され、
冷媒回路（20）は、冷蔵庫内を冷却する冷蔵熱交換器（111）を有する冷蔵回路（110）と、異なる冷凍庫内をそれぞれ冷却する第１，第２冷却熱交換器としての第１，第２冷凍熱交換器（131,141）、及び上記副圧縮機（151）を有する冷凍回路（30）とが、上記主圧縮機（41）を有する熱源側回路（40）に並列に接続されて構成されている冷凍装置。
【発明の詳細な説明】
【技術分野】
【０００１】
本発明は、冷媒回路において庫内を冷却する熱交換器が直列に複数設けられた冷凍装置に関するものである。
【背景技術】
【０００２】
従来より、複数の庫内を個別に冷却する冷凍装置が提案されている。例えば図１２に示す特許文献１の冷凍装置（200）では、冷媒が循環して蒸気圧縮式の冷凍サイクルを行う冷媒回路（210）に、２つの庫内を個別に冷却する第１冷却熱交換器（221）と第２冷却熱交換器（222）とが直列に接続されている。また、冷媒回路（210）には、圧縮機（223）、室外熱交換器（224）、及び膨張機構としての第１キャピラリーチューブ（225）が設けられている。さらに、冷媒回路（210）には、第１キャピラリーチューブ（225）を通過して減圧された冷媒を上記第１冷却熱交換器（221）をバイパスさせて第２冷却熱交換器（222）へ送るためのバイパス管（226）を備えている。このバイパス管（226）には、該バイパス管（226）を流通する冷媒に対して所定の抵抗を付与する第２キャピラリーチューブ（227）が設けられている。また、第１冷却熱交換器（221）と第２冷却熱交換器（222）との間の配管には、第１冷却熱交換器（221）から第２冷却熱交換器（222）への冷媒流量を調整する流量調整弁（228）が設けられている。
【０００３】
以上の構成の冷凍装置（200）の運転時には、圧縮機（223）で圧縮された冷媒が、室外熱交換器（224）において空気に放熱して凝縮する。室外熱交換器（224）で凝縮した冷媒は、第１キャピラリーチューブ（225）で所定圧力に減圧される。
【０００４】
ここで、この冷凍装置（200）の通常運転時には、上記流量調整弁（228）が所定開度に開放される。その結果、第１キャピラリーチューブ（225）で減圧された冷媒は、第１冷却熱交換器（221）を流通する。そして、第１冷却熱交換器（221）では、冷媒が庫内空気より吸熱して蒸発する。第１冷却熱交換器（221）で蒸発した冷媒は、流量調整弁（228）を通過した後、第２冷却熱交換器（222）を流通する。そして、第２冷却熱交換器（222）では、冷媒が庫内空気より吸熱して更に蒸発する。以上のように、この冷凍装置（200）は、通常運転時に流量調整弁（228）を開くことで、冷媒を第１冷却熱交換器（221）、第２冷却熱交換器（222）の順に流通させ、両冷却熱交換器（221,222）において庫内の冷却を行うようにしている。
【０００５】
一方、冷凍装置（200）において、第１冷却熱交換器（221）による庫内の冷却が充分となり、該第１冷却熱交換器（221）の冷却が不要となった場合には、流量調整弁（228）が全閉状態となる。その結果、第１キャピラリーチューブ（225）で減圧された冷媒は、バイパス管（226）及び第２キャピラリーチューブ（227）を通過し、第１冷却熱交換器（221）をバイパスして第２冷却熱交換器（222）に流入する。よって、この運転動作では、第１冷却熱交換器（221）による庫内の冷却が行われず、第２冷却熱交換器（222）のみが庫内の冷却を行う。
【０００６】
このように、特許文献１の冷凍装置（200）は、膨張機構である第１キャピラリーチューブ（225）の下流側にバイパス管（226）を接続し、バイパス管（226）に分配させる冷媒流量を流量調整弁（228）で調整することで、第１冷却熱交換器（221）による庫内の冷却不要時に無駄な冷却が行われてしまうことを回避できるようにしている。
【０００７】
また、これ以外の冷凍装置としては、例えば特許文献２のような冷凍装置が知られている。この冷凍装置は、冷蔵庫内を冷却する冷蔵熱交換器を有する冷蔵回路と、冷凍庫内を冷却する冷凍熱交換器を有する冷凍回路とが、主圧縮機を有する熱源側回路に並列に接続されている。上記冷凍回路には、副圧縮機が設けられている。そして、この冷凍装置の冷媒回路は、上記冷蔵回路を高段側とする一方、上記冷凍回路を低段側とする、いわゆる２段圧縮式の冷媒回路を構成している。すなわち、この冷凍装置では、冷蔵熱交換器を流通する冷媒が主圧縮機を熱源として冷凍サイクルを行うと同時に、冷凍熱交換器を流通する冷媒が低段側の副圧縮機と高段側の主圧縮機とを熱源として冷凍サイクルを行うように構成されている。
【特許文献１】特開２００２−１４７９１７号公報
【特許文献２】特開２００２−２２８２９７号公報
【発明の開示】
【発明が解決しようとする課題】
【０００８】
ところで、上記特許文献１のように、複数の冷却熱交換器（221,222）が直列に設けられた冷凍装置においては、第１キャピラリーチューブ（225）で減圧した後の冷媒を第１冷却熱交換器（221）側かバイパス管（226）側に流通させるようにしている。よって、例えば上述した通常運転時において、第１冷却熱交換器（221）に流入する冷媒の圧力は、第１キャピラリーチューブ（225）の抵抗によって定まり、第１冷却熱交換器（221）における冷媒の蒸発圧力、すなわち冷却能力の調整を行うことが困難となる。
【０００９】
また、第１冷却熱交換器（221）による庫内の冷却が不要となり、第２冷却熱交換器（222）のみで冷却を行う運転動作においては、第２冷却熱交換器（222）に流入する冷媒の圧力が、第１キャピラリーチューブ（225）及び第２キャピラリーチューブ（227）の抵抗によって定まり、第２冷却熱交換器（222）における蒸発圧力、すなわち冷却能力の調整を行うことが困難となる。また、この運転時において、例えば流量調整弁（228）を所定量開放することで、バイパス管（226）を流れる冷媒流量を調整することも考えられるが、この場合には、第１冷却熱交換器（221）に冷媒が流通してしまうため、第１冷却熱交換器（221）において無駄な冷却が行われてしまうことになる。
【００１０】
以上のように、特許文献１の冷凍装置では、バイパス管（226）に冷媒を流通させることにより、必要な冷却熱交換器のみで冷却を行うことは可能となるものの、冷却熱交換器毎の冷却能力の調整が容易でないため、複数の庫内を個別に温度制御することが困難となってしまうという問題がある。
【００１１】
なお、このような問題は、例えば特許文献２の冷凍装置のような、いわゆる２段圧縮式の冷媒回路を有する冷凍装置において、冷凍庫内を冷却する冷却熱交換器（冷凍熱交換器）が直列に複数設けられた場合にも同様にしてあり得ることである。
【００１２】
本発明は、かかる点に鑑みてなされたものであり、その目的とするところは、複数の冷却熱交換器が冷媒回路に直列に設けられた冷凍装置において、必要な冷却熱交換器のみで庫内の冷却を行うことができるとともに、各冷却熱交換器の冷却能力を個別に調整できる冷凍装置を提供することである。
【課題を解決するための手段】
【００１３】
本発明は、複数の冷却熱交換器が冷媒回路に直列に設けられた冷凍装置において、複数の冷却熱交換器に対応する複数の膨張機構を設けるとともに、冷媒回路において膨張機構で減圧される前の冷媒を所定経路でバイパスさせるようにしたものである。
【００１４】
より具体的に、第１の発明は、異なる庫内をそれぞれ冷却する第１と第２の冷却熱交換器（131,141）、圧縮機（41,151）、及び膨張機構（132,142）を有する冷媒回路（20）を備え、該冷媒回路（20）には、上記第１，第２冷却熱交換器（131,141）が直列に接続されている冷凍装置を前提としている。そして、この冷凍装置は、上記膨張機構（132,142）が、上記第１冷却熱交換器（131）に流入する冷媒圧力を調整する第１膨張機構（132）と、上記第２冷却熱交換器（141）に流入する冷媒圧力を調整する第２膨張機構（142）とで構成され、冷媒回路（20）には、一端が第１膨張機構（132）の流入端に接続され、他端が第１冷却用熱交換器（131）と第２膨張機構（142）との間に接続されるとともに流量調整機構（SV-6,137）を有する第１バイパス管（133）が設けられているものである。
【００１５】
上記第１の発明では、冷凍装置に、冷媒が循環して蒸気圧縮式の冷凍サイクルを行う冷媒回路（20）が設けられる。冷媒回路（20）には、異なる庫内を個別に冷却する第１と第２の冷却熱交換器（131,141）が直列に接続される。また、冷媒回路（20）には、各冷却熱交換器（131,141）に対応する第１と第２の膨張機構（132,142）が設けられる。
【００１６】
ここで、この冷凍装置の通常運転時においては、第１バイパス管（133）の流量制御機構（SV-6,137）を全閉状態とする一方、第１膨張機構（132）を所定開度に開放することで、圧縮機（41,151）で圧縮された後、例えば室外熱交換器で凝縮された冷媒を第１膨張機構（132）に流入させることができる。この際、第１膨張機構（132）の開度に応じて冷媒の圧力が所定圧力に調整される。第１膨張機構（132）で減圧された冷媒は、第１冷却熱交換器（131）を流通する。第１冷却熱交換器（131）では、冷媒が庫内空気から吸熱して蒸発する。このため、第１冷却熱交換器（131）によって庫内が所定温度に冷却される。第１冷却熱交換器（131）を流出した冷媒は、第２膨張機構（142）を通過する。この際、第２膨張機構（142）の開度に応じて冷媒の圧力が所定圧力に調整される。第２膨張機構（142）で減圧された冷媒は、第２冷却熱交換器（141）を流通する。第２冷却熱交換器（141）では、冷媒が庫内空気から吸熱して更に蒸発する。このため、第２冷却熱交換器（141）によって庫内が所定温度に冷却される。
【００１７】
以上のように、第１と第２の冷却熱交換器（131,141）で庫内を冷却する通常運転時には、冷媒を第１バイパス管（133）に導入させないようにすることで、第１，第２冷却熱交換器（131,141）に冷媒を流通させることができる。この際、第１冷却熱交換器（131）の冷却能力を第１膨張機構（132）で調整すると同時に、第２冷却熱交換器（141）の冷却能力を第２膨張機構（142）で調整することができる。
【００１８】
一方、この冷凍装置において、第１冷却熱交換器（131）による庫内の冷却が不要となる場合に、第１バイパス管（133）の流量調整機構（SV-6,137）を開放する一方、第１膨張機構（132）を全閉状態とすることで、凝縮後の冷媒を第１バイパス管（133）に導入させることできる。このため、冷媒は第１膨張機構（132）及び第１冷却熱交換器（131）を流通せず、第２膨張機構（142）を通過する。この際、第２膨張機構（142）の開度に応じて冷媒の圧力が所定圧力に調整される。第２膨張機構（142）で減圧された冷媒は、第２冷却熱交換器（141）を流通する。第２冷却熱交換器（141）では、冷媒が庫内空気から吸熱して蒸発する。このため、第２冷却熱交換器（141）によって庫内が所定温度に冷却される。
【００１９】
以上のように、第１冷却熱交換器（131）による庫内の冷却が不要となる場合には、冷媒を第１バイパス管（133）に導入することで、第２冷却熱交換器（141）のみに冷媒を流通させることができる。この際、第２冷却熱交換器（141）の冷却能力を第２膨張機構（142）で調整することができる。
【００２０】
第２の発明は、第１の発明の冷凍装置において、第１バイパス管（133）は、第１冷却熱交換器（131）の伝熱管と接触するように形成された伝熱部（133a）を有するものである。
【００２１】
上記第２の発明では、第１冷却熱交換器（131）による庫内の冷却が充分となり、冷媒を第１バイパス管（133）に導入するバイパス動作を行う際、第１バイパス管（133）を流れる冷媒の熱が、伝熱部（133a）を介して第１冷却熱交換器（131）に伝導する。言い換えると、比較的低温の状態と庫内空気と第１バイパス管（133）を流れる冷媒とが第１冷却熱交換器（131）及び伝熱部（133a）を介して熱交換し、第１バイパス管（133）を流れる冷媒が冷却される。よって、第２冷却熱交換器（141）のみで庫内の冷却を行う場合に、第２冷却熱交換器（141）に送られる冷媒の過冷却を上記第１バイパス管（133）の伝熱部（133a）で行うことができる。
【００２２】
第３の発明は、異なる庫内をそれぞれ冷却する第１と第２の冷却熱交換器（131,141）、圧縮機（41,151）、及び膨張機構（132,142）を有する冷媒回路（20）を備え、該冷媒回路（20）には、上記第１，第２冷却熱交換器（131,141）が直列に接続されている冷凍装置を前提としている。そして、この冷凍装置は、上記膨張機構（132,142）が、上記第１冷却熱交換器（131）に流入する冷媒圧力を調整する第１膨張機構（132）と、上記第２冷却熱交換器（141）に流入する冷媒圧力を調整する第２膨張機構（142）とで構成され、冷媒回路（20）には、一端が第１膨張機構（132）の流入端に接続され、他端が該第１膨張機構（132）と第１冷却熱交換器（131）との間に接続されるとともに流量調整機構（SV-6,137）を有する第１バイパス管（133）が設けられているものである。
【００２３】
上記第３の発明では、第１バイパス管（133）が第１の発明と異なる構成で冷媒回路（20）に設けられる。具体的に、第１の発明では、第１バイパス管（133）が第１膨張機構（132）の流入端から第１冷却熱交換器（131）の流出端までのバイパス経路を構成しているのに対し、第３の発明の第１バイパス管（133）は、第１膨張機構（132）の流入端から該１膨張機構（132）の流出端までのバイパス経路を構成している。なお、何れの発明のバイパス管（133）についても、第１膨張機構（132）をバイパスさせるという技術的特徴は同じである。
【００２４】
ここで、この冷凍装置の通常運転時においては、第１バイパス管（133）の流量制御機構（SV-6,137）を全閉状態とする一方、第１膨張機構（132）を所定開度に開放することで、凝縮後の冷媒を第１膨張機構（132）に流入させることができる。よって、第１の発明と同様にして、第１，第２冷却熱交換器（131,141）に冷媒を流通させるとともに、両冷却熱交換器（131,141）の冷却能力を各冷却熱交換器（131,141）に対応する膨張機構（132,142）で調整することができる。
【００２５】
一方、この冷凍装置において、第１冷却熱交換器（131）による庫内の冷却が不要となる場合には、第１バイパス管（133）の流量調整機構（SV-6,137）を開放する一方、第１膨張機構（132）を全閉状態とすることで、凝縮後の冷媒を第１バイパス管（133）に導入させることができる。このため、冷媒は第１膨張機構（132）を流通せず、減圧されない状態で第１冷却熱交換器（131）を流通する。よって、第１冷却熱交換器（131）において、冷媒は蒸発せず、比較的低温状態の庫内空気と熱交換して冷却される。つまり、第１冷却熱交換器（131）において、冷媒の過冷却を行うことができる。第１冷却熱交換器（131）を流出した冷媒は、第２膨張機構（142）を通過する。この際、第２膨張機構（142）の開度に応じて冷媒の圧力が所定圧力に調整される。第２膨張機構（142）で減圧された冷媒は、第２冷却熱交換器（141）を流通する。第２冷却熱交換器（141）では、冷媒が庫内空気から吸熱して蒸発する。このため、第２冷却熱交換器（141）によって庫内が所定温度に冷却される。
【００２６】
以上のように、第１冷却熱交換器（131）の冷却が不要となる運転時には、冷媒を第１バイパス管（133）に導入することで、第１冷却熱交換器（131）を流通する冷媒を蒸発させずに第２冷却熱交換器（141）に送ることができる。よって、第２冷却熱交換器（141）のみで庫内の冷却を行うことができるとともに、第２冷却熱交換器（141）の冷却能力を第２膨張機構（142）で調整することができる。この際、第１冷却熱交換器（131）では、冷媒の過冷却が行われるため、第２冷却熱交換器（141）の冷却能力を向上させることができる。
【００２７】
第４の発明は、第１から第３のいずれか１の発明の冷凍装置において、冷媒回路（20）には、一端が第２膨張機構（142）の流入端に接続され、他端が該第２冷却熱交換器（141）の流出端に接続されるとともに流量調整機構（SV-6,137）を有する第２バイパス管（143）が設けられているものである。
【００２８】
上記第４の発明では、第２冷却熱交換器（141）のバイパス経路として、上述した第１バイパス管（133）と同様な第２バイパス管（143）が設けられる。このため、第２冷却熱交換器（141）の冷却不要時には、冷媒を第１冷却熱交換器（131）のみに流通させるとともに、第１冷却熱交換器（131）の冷却能力を第１膨張機構（132）で調整することができる。
【００２９】
第５の発明は、第１から第４のいずれか１の発明の冷凍装置において、流量制御機構は、開閉自在な電磁弁（SV-6）で構成されているものである。
【００３０】
上記第５の発明では、第１バイパス管（133）、あるいは第２バイパス管（143）の流量調整機構として電磁弁（SV-6）が設けられる。よって、電磁弁（SV-6）の開閉動作により、バイパス管（133,143）におけるバイパス動作の切換を容易に行うことができる。
【００３１】
第６の発明は、第１から第４のいずれか１の発明の冷凍装置において、流量制御機構は、開度可変な電動弁（137）で構成されているものである。
【００３２】
上記第６の発明では、第１バイパス管（133）、あるいは第２バイパス管（143）の流量調整機構として電動弁（137）が設けられる。よって、電動弁（137）を全閉状態と全開状態とに切り換えることで、バイパス管（133,143）におけるバイパス動作の切換を行うことができる。
【００３３】
また、電動弁（137）の開度を所定開度に調整することで、バイパス管（133,143）にバイパスさせる冷媒流量と、バイパス管（133,143）にバイパスさせず冷却熱交換器（131,141）に流通させる冷媒流量との分配比率を調整することもできる。よって、各冷却熱交換器（131,141）を流れる冷媒流量を調整して、該冷却熱交換器（131,141）の冷却能力を調整することもできる。
【００３４】
第７の発明は、第１から第６の発明の冷凍装置において、圧縮機（41,151）が、主圧縮機（41）と副圧縮機（151）とで構成され、冷媒回路（20）は、冷蔵庫内を冷却する冷蔵熱交換器（111）を有する冷蔵回路（110）と、異なる冷凍庫内をそれぞれ冷却する第１，第２冷却熱交換器としての第１，第２冷凍熱交換器（131,141）、及び上記副圧縮機（151）を有する冷凍回路（30）とが、上記主圧縮機（41）を有する熱源側回路（40）に並列に接続されて構成されているものである。
【００３５】
上記第７の発明では、高段側となる冷蔵回路（110）と、低段側となる冷凍回路（30）とが熱源側回路（40）に並列に接続されて、いわゆる二段圧縮式の冷媒回路（20）が構成される。低段側となる冷凍回路（30）には、第１と第２の冷却熱交換器（第１，第２冷凍熱交換器）（131,141）が直列に接続される。そして、第１，第２冷凍熱交換器（131,141）によって冷凍庫内が冷却される。よって、バイパス管（133,143）のバイパス動作を切り換えることで、一方のみの冷凍熱交換器だけで冷凍庫内を冷却することができる。また、各冷凍熱交換器（131,141）の冷却能力を該冷凍熱交換器（131,141）に対応する膨張機構（132,142）で調整することができる。
【発明の効果】
【００３６】
上記第１の発明によれば、第１と第２の冷却熱交換器（131,141）で庫内を冷却する通常運転時において、冷媒を第１バイパス管（133）を介さずに第１冷却熱交換器（131）と第２冷却熱交換器（141）との双方に流通させることができる。ここで、冷媒は、第１冷却熱交換器（131）に流入する前に第１膨張機構（132）を通過する。よって、第１膨張機構（132）の開度を所定開度に調整することで、第１冷却熱交換器（131）の冷却能力を調整することができる。同様に、冷媒は、第２冷却熱交換器（141）に流入する前に第２膨張機構（142）を通過する。よって、第２膨張機構（142）の開度を調整して第２冷却熱交換器（141）の冷却能力を調整することができる。
【００３７】
また、本発明によれば、第１冷却熱交換器（131）による庫内の冷却が充分であり、第１冷却熱交換器（131）による庫内の冷却が不要な場合に、冷媒を第１バイパス管（133）を介して第２冷却熱交換器（141）のみに流通させることができる。よって、第１冷却熱交換器（131）で無駄な冷却が行われてしまうことを回避できる。
【００３８】
ところで、第１冷却熱交換器（131）と第２冷却熱交換器（141）とが直列に接続された冷媒回路（20）において、上述のような通常運転を行う場合、第２冷却熱交換器（141）よりも上流側に位置する第１冷却熱交換器（131）の方が冷却能力が高くなる傾向にある。このため、第１冷却熱交換器（131）が設けられる庫内の方が、第２冷却熱交換器（141）が設けられる庫内よりも冷却されやすく、したがって、通常運転時では、第１冷却熱交換器（131）の冷却能力が過剰となる一方、第２冷却熱交換器（141）の冷却能力が不足してしまうという事態を招きやすい。
【００３９】
一方、本発明によれば、第１バイパス管（133）のバイパス動作によって第１冷却熱交換器（131）による庫内の冷却を停止させる一方、第２冷却熱交換器（141）のみで庫内を冷却可能としているため、複数の庫内を効率的に冷却することができる。
【００４０】
さらに、本発明によれば、このような第１バイパス管（133）におけるバイパス動作時において、冷媒は、第２冷却熱交換器（141）に流入する前に第２膨張機構（142）を通過する。したがって、第２膨張機構（142）の開度を調整して第２冷却熱交換器（141）の冷却能力を調整することができる。
【００４１】
上記第２の発明によれば、第１バイパス管（133）の伝熱部（133a）を第１冷却熱交換器（131）の伝熱管と接触させるようにしている。このため、冷媒を第１バイパス管（133）に導入する場合、第１バイパス管（133）を流通する冷媒の熱を第１冷却熱交換器（131）に伝導させ、この冷媒の過冷却を行うことができる。したがって、第２冷却熱交換器（141）のみで庫内の冷却を行う場合、第２冷却熱交換器（141）の冷却能力の向上を図ることができる。
【００４２】
特に、第１冷却熱交換器（131）と第２冷却熱交換器（141）とが直列に接続された冷媒回路（20）において通常運転を行う場合、上述したように、第２冷却熱交換器（141）の冷凍能力が不足し易い傾向にあるが、本発明によれば、冷媒の過冷却によって第２冷却熱交換器（141）の冷凍能力不足を迅速に解消できる。
【００４３】
また、例えば第１冷凍熱交換器（131）に空気中の水分が付着し、霜が付いてしまう場合には、第１バイパス管（133）を流れる冷媒の熱を利用して、第１冷凍熱交換器（131）のデフロストを行うこともできる。
【００４４】
上記第３の発明によれば、第１，第２冷却熱交換器（131,141）で庫内を冷却する通常運転時において、冷媒を第１バイパス管（133）を介さずに両冷却熱交換器（131,141）に流通させることができる。そして、第１，第２冷却熱交換器（131,141）の冷凍能力を各冷却熱交換器（131,141）に対応する膨張機構（132,142）で調整することができる。
【００４５】
また、本発明によれば、第１冷却熱交換器（131）による庫内の冷却が不要な場合に、冷媒を第１バイパス管（133）に導入することで、第１膨張機構（132）で減圧することなく、第１冷凍熱交換器（131）に流通させることができる。よって、第１冷凍熱交換器（131）は庫内の冷却を行わず、第２冷却熱交換器（141）のみで庫内の冷却を行うことができる。したがって、第１冷却熱交換器（131）で無駄な冷却が行われてしまうことを回避できる。この際、冷媒は、第２冷却熱交換器（141）に流入する前に第２膨張機構（142）を通過するため、第２膨張機構（142）の開度を調整して第２冷却熱交換器（141）の冷却能力を調整することができる。
【００４６】
さらに、本発明によれば、第１冷却熱交換器（131）による庫内の冷却不要時に、第１バイパス管（133）に導入した冷媒を第１冷凍熱交換器（131）に流通させることで、第１冷凍熱交換器（131）において、冷媒の過冷却を行うことができる。したがって、第２冷却熱交換器（141）の冷却能力の向上を図ることができる。
【００４７】
特に、第１冷却熱交換器（131）と第２冷却熱交換器（141）とが直列に接続された冷媒回路（20）において通常運転を行う場合、上述したように、第２冷却熱交換器（141）の冷凍能力が不足し易い傾向にあるが、本発明によれば、冷媒の過冷却によって第２冷却熱交換器（141）の冷凍能力不足を迅速に解消できる。
【００４８】
また、第１冷凍熱交換器（131）を流通する冷媒によって第１冷凍熱交換器（131）の伝熱管を内部より加温できるため、第１冷凍熱交換器（131）ののデフロストを効果的に行うことができる。
【００４９】
上記第４の発明によれば、第２冷却熱交換器（141）のバイパス経路として、第２バイパス管（143）を設けるようにしている。したがって、例えば第２冷却熱交換器（141）のサーモオフ時など、第２冷却熱交換器（141）による庫内の冷却不要時に、冷媒を第１冷却熱交換器（131）のみに流通させて該第１冷却熱交換器（131）のみでの庫内の冷却を行うことができる。また、この際には、第１冷却熱交換器（131）の冷却能力を第１膨張機構（132）で調整することができる。
【００５０】
上記第５の発明によれば、バイパス管（133,143）の流量調整機構として電磁弁（SV-6）を用いるようにしている。したがって、単純な構造によって、バイパス管（133,143）におけるバイパス動作の切換を行うことができる。
【００５１】
上記第６の発明によれば、バイパス管（133,143）の流量調整機構として電動弁（137）を用いるようにしている。よって、電動弁（137）の開度を所定開度に調整することで、バイパス管（133,143）にバイパスさせる冷媒流量と、バイパス管（133,143）にバイパスさせず冷却熱交換器（131,141）に流通させる冷媒流量との分配比率を調整することができる。したがって、電動弁（137）の開度調整によって第１冷却熱交換器（131）及び第２冷却熱交換器（141）の冷却能力を調整することができる。
【００５２】
上記第７の発明によれば、いわゆる２段圧縮式の冷媒回路（20）において、低段側となる冷凍回路（30）に第１，第２冷却熱交換器としての第１，第２冷凍熱交換器（131,141）を直列に設け、第１から第６の発明を適用するようにしている。よって、この冷凍装置において、必要な冷凍熱交換器（131,141）のみで冷凍庫内の冷却を行うことができるとともに、各冷凍熱交換器（131,141）の冷却能力を個別に調整することができる。
【発明を実施するための最良の形態】
【００５３】
以下、本発明の実施形態を図面に基づいて詳細に説明する。
【００５４】
本実施形態の冷凍装置（10）は、コンビニエンスストア等に設置されて、店内の空気調和とショーケース内の冷却とを行うものである。
【００５５】
図１に示すように、本実施形態の冷凍装置（10）は、室外ユニット（11）と、空調ユニット（12）と、冷蔵庫としての冷蔵ショーケース（13）と、冷凍庫としての第１と第２の冷凍ショーケース（15a,15b）と、ブースタユニット（16）とを備えている。室外ユニット（11）は、屋外に設置されている。一方、残りの空調ユニット（12）等は、何れもコンビニエンスストア等の店内に設置されている。
【００５６】
室外ユニット（11）には室外回路（40）が、空調ユニット（12）には空調回路（100）が、冷蔵ショーケース（13）には冷蔵庫内回路（110）が、第１冷凍ショーケース（15a）には第１冷凍庫内回路（130a）が、第２冷凍ショーケース（15b）には第２冷凍庫内回路（130b）が、ブースタユニット（16）にはブースタ回路（150）がそれぞれ設けられている。冷凍装置（10）では、これらの回路（40,100,…）を配管で接続することによって冷媒回路（20）が構成されている。
【００５７】
第１冷凍庫内回路（130a）と第２冷凍庫内回路（130b）とは、互いに直列に接続されており、さらに第２冷凍庫内回路（130b）とブースタ回路（150）とが互いに直列に接続されている。そして、第１冷凍庫内回路（130a）と第２冷凍庫内回路（130b）とブースタ回路（150）とが、冷凍回路（30）を構成している。この冷凍回路（30）では、第１冷凍庫内回路（130a）の端部にに液側閉鎖弁（31）が設けられ、ブースタ回路（150）の端部にガス側閉鎖弁（32）が設けられている。一方、冷蔵庫内回路（110）は、単独で冷蔵回路を構成している。また、室外回路（40）は、単独で熱源側回路を構成している。
【００５８】
冷媒回路（20）では、冷蔵庫内回路（110）と冷凍回路（30）とが室外回路（40）に対して互いに並列接続されている。具体的に、冷蔵庫内回路（110）及び冷凍回路（30）は、第１液側連絡配管（21）及び第１ガス側連絡配管（22）を介して、室外回路（40）に接続されている。第１液側連絡配管（21）は、その一端が室外回路（40）に接続されている。第１液側連絡配管（21）の他端は、２つに分岐しており、分岐した一方が冷蔵庫内回路（110）の液側端に接続され、他方が液側閉鎖弁（31）に接続されている。第１ガス側連絡配管（22）は、その一端が室外回路（40）に接続されている。第１ガス側連絡配管（22）の他端は、２つに分岐しており、分岐した一方が冷蔵庫内回路（110）のガス側端に接続され、他方がガス側閉鎖弁（32）に接続されている。
【００５９】
また、冷媒回路（20）では、空調回路（100）が、第２液側連絡配管（23）及び第２ガス側連絡配管（24）を介して、室外回路（40）に接続されている。第２液側連絡配管（23）は、その一端が室外回路（40）に接続され、他端が空調回路（100）の液側端に接続されている。第２ガス側連絡配管（24）は、その一端が室外回路（40）に接続され、他端が空調回路（100）のガス側端に接続されている。
【００６０】
《室外ユニット》
上述したように、室外ユニット（11）は、室外回路（40）を備えている。この室外回路（40）には、可変容量圧縮機（41）、固定容量圧縮機（42）、室外熱交換器（43）、レシーバ（44）、及び室外膨張弁（45）が設けられている。また、室外回路（40）には、四路切換弁（51,52）と、液側閉鎖弁（53,55）と、ガス側閉鎖弁（54,56）とが２つずつ設けられている。この室外回路（40）において、第１液側閉鎖弁（53）には第１液側連絡配管（21）が、第１ガス側閉鎖弁（54）には第１ガス側連絡配管（22）が、第２液側閉鎖弁（55）には第２液側連絡配管（23）が、第２ガス側閉鎖弁（56）には第２ガス側連絡配管（24）がそれぞれ接続されている。
【００６１】
可変容量圧縮機（41）及び固定容量圧縮機（42）は、何れも全密閉型で高圧ドーム型のスクロール圧縮機である。可変容量圧縮機（41）には、インバータを介して電力が供給される。この可変容量圧縮機（41）は、インバータの出力周波数を変化させて圧縮機モータの回転速度を変更することによって、その容量が変更可能となっている。可変容量圧縮機（41）は、主圧縮機を構成している。一方、固定容量圧縮機（42）は、圧縮機モータが常に一定の回転速度で運転されるものであって、その容量が変更不能となっている。
【００６２】
可変容量圧縮機（41）の吸入側には、第１吸入管（61）の一端が接続されている。第１吸入管（61）の他端は、第１ガス側閉鎖弁（54）に接続されている。一方、固定容量圧縮機（42）の吸入側には、第２吸入管（62）の一端が接続されている。第２吸入管（62）の他端は、第２四路切換弁（52）に接続されている。また、第１吸入管（61）には吸入接続管（63）の一端が接続され、第２吸入管（62）には吸入接続管（63）の他端が接続されている。この吸入接続管（63）には、その一端から他端へ向かう冷媒の流通だけを許容する逆止弁（CV-1）が設けられている。
【００６３】
可変容量圧縮機（41）及び固定容量圧縮機（42）には、吐出管（64）が接続されている。吐出管（64）の一端は、第１四路切換弁（51）に接続されている。この吐出管（64）は、他端側で第１分岐吐出管（64a）と第２分岐吐出管（64b）とに分岐されている。そして、第１分岐吐出管（64a）が可変容量圧縮機（41）の吐出側に接続され、第２分岐吐出管（64b）が固定容量圧縮機（42）の吐出側に接続されている。第２分岐吐出管（64b）には、固定容量圧縮機（42）から第１四路切換弁（51）へ向かう冷媒の流通だけを許容する逆止弁（CV-3）が設けられている。また、吐出管（64）には、吐出接続管（65）の一端が接続されている。吐出接続管（65）の他端は、第２四路切換弁（52）に接続されている。
【００６４】
室外熱交換器（43）は、クロスフィン式のフィン・アンド・チューブ型熱交換器であって、熱源側熱交換器を構成している。この室外熱交換器（43）では、冷媒と室外空気の間で熱交換が行われる。室外熱交換器（43）の一端は、閉鎖弁（57）を介して第１四路切換弁（51）に接続されている。一方、室外熱交換器（43）の他端は、第１液管（81）を介してレシーバ（44）の頂部に接続されている。この第１液管（81）には、室外熱交換器（43）からレシーバ（44）へ向かう冷媒の流通だけを許容する逆止弁（CV-4）が設けられている。
【００６５】
レシーバ（44）の底部には、閉鎖弁（58）を介して第２液管（82）の一端が接続されている。この第２液管（82）は、他端側で第１分岐管（82a）と第２分岐管（82b）とに分岐されている。そして、第２液管（82）の第１分岐管（82a）が第１液側閉鎖弁（53）に接続され、その第２分岐管（82b）が第２液側閉鎖弁（55）に接続されている。第２液管（82）の第２分岐管（82b）には、レシーバ（44）から第２液側閉鎖弁（55）へ向かう冷媒の流通だけを許容する逆止弁（CV-5）が設けられている。
【００６６】
第２液管（82）の第２分岐管（82b）において、逆止弁（CV-5）と第２液側閉鎖弁（55）との間には、第３液管（83）の一端が接続されている。第３液管（83）の他端は、レシーバ（44）の頂部に接続されている。また、第３液管（83）には、その一端から他端へ向かう冷媒の流通だけを許容する逆止弁（CV-6）が設けられている。
【００６７】
第２液管（82）における閉鎖弁（58）の下流には、第４液管（84）の一端が接続されている。第４液管（84）の他端は、第１液管（81）における室外熱交換器（43）と逆止弁（CV-4）との間に接続されている。また、第４液管（84）には、室外膨張弁（45）が設けられている。
【００６８】
第１四路切換弁（51）は、第１のポートが吐出管（64）に、第２のポートが第２四路切換弁（52）に、第３のポートが室外熱交換器（43）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６９】
第２四路切換弁（52）は、第１のポートが吐出接続管（65）に、第２のポートが第２吸入管（62）に、第４のポートが第１四路切換弁（51）の第２のポートにそれぞれ接続されている。また、第２四路切換弁（52）は、その第３のポートが封止されている。よって、第２四路切換弁は、実質的に三方弁として用いられる。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００７０】
室外回路（40）には、油分離器（70）、油戻し管（71）、インジェクション管（85）、及び連通管（87）も設けられている。更に、室外回路（40）には、均油管（72,73）と吸入側配管（66,67）とが２つずつ設けられている。
【００７１】
油分離器（70）は、吐出管（64）に設けられている。この油分離器（70）は、圧縮機（41,42）の吐出ガスから冷凍機油を分離するためのものである。油分離器（70）には、油戻し管（71）の一端が接続されている。油戻し管（71）の他端は、第１吸入管（61）に接続されている。また、油戻し管（71）には、電磁弁（SV-5）が設けられている。電磁弁（SV-5）を開くと、油分離器（70）で分離された冷凍機油が、可変容量圧縮機（41）の吸入側へ送り返される。
【００７２】
第１均油管（72）は、その一端が可変容量圧縮機（41）に接続され、他端が第２吸入管（62）に接続されている。この第１均油管（72）には、電磁弁（SV-1）が設けられている。一方、第２均油管（73）は、その一端が固定容量圧縮機（42）に接続され、他端が第１吸入管（61）に接続されている。この第２均油管（73）には、電磁弁（SV-2）が設けられている。これら電磁弁（SV-1,SV-2）を適宜開閉することにより、各圧縮機（41,42）における冷凍機油の貯留量が平均化される。
【００７３】
第１吸入側配管（66）は、その一端が第２吸入管（62）に接続され、その他端が第１吸入管（61）に接続されている。第１吸入側配管（66）には、その一端から他端へ向かって順に、電磁弁（SV-3）と逆止弁（CV-2）とが設けられている。この逆止弁（CV-2）は、第１吸入側配管（66）の一端から他端へ向かう冷媒の流通だけを許容する。一方、第２吸入側配管（67）は、第１吸入側配管（66）における電磁弁（SV-3）の両側を繋ぐように接続されている。第２吸入側配管（67）には、電磁弁（SV-4）が設けられている。
【００７４】
インジェクション管（85）は、いわゆる液インジェクションを行うためのものである。インジェクション管（85）は、その一端が閉鎖弁（59）を介して第４液管（84）に接続され、他端が第１吸入管（61）に接続されている。インジェクション管（85）には、開度可変の流量調節弁（86）が設けられている。インジェクション管（85）における閉鎖弁（59）と流量調節弁（86）との間には、連通管（87）の一端が接続されている。連通管（87）の他端は、油戻し管（71）における油分離器（70）と電磁弁（SV-5）の間に接続されている。連通管（87）には、その一端から他端へ向かう冷媒の流通だけを許容する逆止弁（CV-7）が設けられている。
【００７５】
室外回路（40）には、各種のセンサや圧力スイッチも設けられている。具体的に、第１吸入管（61）には、第１吸入温度センサ（91）と第１吸入圧力センサ（93）とが設けられている。第２吸入管（62）には、第２吸入温度センサ（92）と第２吸入圧力センサ（94）とが設けられている。吐出管（64）には、吐出温度センサ（96）と吐出圧力センサ（97）とが設けられている。第１，第２吐出分岐管（64a,64b）には、高圧圧力スイッチ（95）が１つずつ設けられている。
【００７６】
また、室外ユニット（11）には、外気温センサ（90）と室外ファン（48）とが設けられている。室外熱交換器（43）へは、この室外ファン（48）によって室外空気が送られる。
【００７７】
《空調ユニット》
上述したように、空調ユニット（12）は、空調回路（100）を備えている。空調回路（100）では、その液側端からガス側端へ向かって順に、空調膨張弁（102）と空調熱交換器（101）とが設けられている。空調熱交換器（101）は、クロスフィン式のフィン・アンド・チューブ型熱交換器によって構成されている。この空調熱交換器（101）では、冷媒と室内空気の間で熱交換が行われる。一方、空調膨張弁（102）は、電子膨張弁によって構成されている。
【００７８】
空調ユニット（12）には、熱交換器温度センサ（103）と冷媒温度センサ（104）とが設けられている。熱交換器温度センサ（103）は、空調熱交換器（101）の伝熱管に取り付けられている。冷媒温度センサ（104）は、空調回路（100）におけるガス側端の近傍に取り付けられている。また、空調ユニット（12）には、内気温センサ（106）と空調ファン（105）とが設けられている。空調熱交換器（101）へは、この空調ファン（105）によって店内の室内空気が送られる。
【００７９】
《冷蔵ショーケース》
上述したように、冷蔵ショーケース（13）は、冷蔵庫内回路（110）を備えている。冷蔵庫内回路（110）では、その液側端からガス側端へ向かって順に、冷蔵膨張弁（112）と冷蔵熱交換器（111）とが設けられている。冷蔵熱交換器（111）は、クロスフィン式のフィン・アンド・チューブ型熱交換器であって、第１熱交換器を構成している。この冷蔵熱交換器（111）では、冷媒と庫内空気の間で熱交換が行われる。一方、冷蔵膨張弁（112）は、電子膨張弁によって構成されている。
【００８０】
冷蔵ショーケース（13）には、熱交換器温度センサ（113）と冷媒温度センサ（114）とが設けられている。熱交換器温度センサ（113）は、冷蔵熱交換器（111）の伝熱管に取り付けられている。冷媒温度センサ（114）は、冷蔵庫内回路（110）におけるガス側端の近傍に取り付けられている。また、冷蔵ショーケース（13）には、冷蔵庫内温度センサ（116）と冷蔵庫内ファン（115）とが設けられている。冷蔵熱交換器（111）へは、この冷蔵庫内ファン（115）によって冷蔵ショーケース（13）の庫内空気が送られる。
【００８１】
《冷凍ショーケース》
冷凍ショーケースは、第１と第２の冷凍ショーケース（15a,15b）とで構成されている。そして、第１冷凍ショーケース（15a）が、第１冷凍庫内回路（130a）を備えている一方、第２冷凍ショーケース（15b）が、第２冷凍庫内回路（130b）を備えている。
【００８２】
第１冷凍庫内回路（130a）では、その液側端からガス側端へ向かって順に、第１冷凍膨張弁（第１膨張機構）（132）、第１冷凍熱交換器（131）、及び冷媒温度センサ（134）、及び逆止弁（CV-8）が設けられている。第１冷凍熱交換器（131）は、クロスフィン式のフィン・アンド・チューブ型熱交換器であって、第１冷却熱交換器を構成している。この第１冷凍熱交換器（131）では、冷媒と庫内空気との間で熱交換が行われる。一方、第１冷凍膨張弁（132）は、電子膨張弁によって構成されている。そして、第１冷凍膨張弁（132）は、第１冷凍熱交換器（131）に流入する冷媒圧力を調整する。また、第１冷凍ショーケース（15b）には、第１冷凍庫内温度センサ（136）と第１冷凍庫内ファン（135）とが設けられている。第１冷凍熱交換器（131）へは、この第１冷凍庫内ファン（135）によって第１冷凍ショーケース（15a）の庫内空気が送られる。
【００８３】
第２冷凍庫内回路（130b）では、その液側端からガス側端へ向かって順に、第２冷凍膨張弁（第２膨張機構）（142）、第２冷凍熱交換器（141）、及び冷媒温度センサ（144）が設けられている。第２冷凍熱交換器（141）は、クロスフィン式のフィン・アンド・チューブ型熱交換器であって、第２冷却熱交換器を構成している。この第２冷凍熱交換器（141）では、冷媒と庫内空気の間で熱交換が行われる。一方、第２冷凍膨張弁（142）は、電子膨張弁によって構成されている。そして、第２冷凍膨張弁（142）は、第２冷凍熱交換器（141）に流入する冷媒圧力を調整する。また、第２冷凍ショーケース（15b）には、第２冷凍庫内温度センサ（146）と第２冷凍庫内ファン（145）とが設けられている。第２冷凍熱交換器（141）へは、この第２冷凍庫内ファン（145）によって第２冷凍ショーケース（15b）の庫内空気が送られる。
【００８４】
また、上述した第１冷凍庫内回路（130a）には、第１冷凍膨張弁（132）に流入する直前の冷媒を第１冷凍熱交換器（131）の下流側にバイパスさせる第１バイパス管（133）が設けられている。第１バイパス管（133）は、一端が第１冷凍膨張弁（132）の流入端に接続され、他端が第１冷凍用熱交換器（131）と第２冷凍膨張弁（142）との間に接続されている。この第１バイパス管（133）には、流量調整機構として開閉自在な電磁弁（SV-6）が備えられている。また、上記逆止弁（CV-8）は、第１冷凍熱交換器（131）の流出端から第１バイパス管（133）の他端へ向かう冷媒の流通のみを許容する。
【００８５】
《ブースタユニット》
上述したように、ブースタユニット（16）は、ブースタ回路（150）を備えている。ブースタ回路（150）には、ブースタ圧縮機（151）が設けられている。
【００８６】
ブースタ圧縮機（151）は、全密閉型で高圧ドーム型のスクロール圧縮機である。ブースタ圧縮機（151）には、インバータを介して電力が供給される。このブースタ圧縮機（151）は、インバータの出力周波数を変化させて圧縮機モータの回転速度を変更することによって、その容量が変更可能となっている。ブースタ圧縮機（151）は、副圧縮機を構成している。
【００８７】
ブースタ圧縮機（151）は、その吸入側に吸入管（154）が接続され、その吐出側に吐出管（155）の一端が接続されている。吸入管（154）の他端は、第２冷凍庫内回路（130b）のガス側端と接続されている。一方、吐出管（155）の他端は、ガス側閉鎖弁（32）と接続されている。この吐出管（155）には、吐出温度センサ（152）、高圧圧力スイッチ（153）が設けられている。
【００８８】
《コントローラの構成》
本実施形態の冷凍装置（10）は、コントローラ（200）を備えている。このコントローラ（200）は、運転条件に応じて各四路切換弁や各電磁弁などの制御動作を行うものである。
【００８９】
−運転動作−
以下に、本実施形態の冷凍装置（10）が行う運転動作のうち、主要なものについて図面を参照しながら説明する。
【００９０】
《冷房運転》
冷房運転は、冷蔵ショーケース（13）、第１冷凍ショーケース（15a）、及び第２冷凍ショーケース（15b）において庫内空気の冷却を行い、空調ユニット（12）で室内空気の冷却を行って店内を冷房する運転である。
【００９１】
図２に示すように、室外回路（40）では、第１四路切換弁（51）及び第２四路切換弁（52）が第１状態に設定され、室外膨張弁（45）が全閉される。また、空調膨張弁（102）、冷蔵膨張弁（112）の開度が適宜調整される。さらに、冷凍庫内回路（130a,130b）では、電磁弁（SV-6）が閉じた状態になると同時に、第１冷凍膨張弁（132）及び第２冷凍膨張弁（142）の開度が適宜調節される。この状態において、可変容量圧縮機（41）、固定容量圧縮機（42）、及びブースタ圧縮機（151）が運転される。
【００９２】
可変容量圧縮機（41）及び固定容量圧縮機（42）から吐出された冷媒は、吐出管（64）から第１四路切換弁（51）を通って室外熱交換器（43）へ送られる。室外熱交換器（43）では、冷媒が室外空気へ放熱して凝縮する。室外熱交換器（43）で凝縮した冷媒は、レシーバ（44）を通過して第２液管（82）へ流入し、第２液管（82）の各分岐管（82a,82b）へ分配される。
【００９３】
第２液管（82）の第１分岐管（82a）へ流入した冷媒は、第１液側連絡配管（21）を通じて冷蔵庫内回路（110）と第１冷凍庫内回路（130a）とに分配される。
【００９４】
冷蔵庫内回路（110）へ流入した冷媒は、冷蔵膨張弁（112）を通過する際に減圧されてから冷蔵熱交換器（111）へ導入される。冷蔵熱交換器（111）では、冷媒が庫内空気から吸熱して蒸発する。冷蔵熱交換器（111）で蒸発した冷媒は、第１ガス側連絡配管（22）へ流入する。冷蔵ショーケース（13）では、冷蔵熱交換器（111）で冷却された庫内空気が庫内へ供給される。
【００９５】
第１冷凍庫内回路（130a）へ流入した冷媒は、第１冷凍膨張弁（132）を通過する際に所定圧力に減圧されてから第１冷凍熱交換器（131）へ導入される。第１冷凍熱交換器（131）では、冷媒が庫内空気から吸熱して蒸発する。第１冷凍ショーケース（15a）では、第１冷凍熱交換器（131）で冷却された庫内空気が庫内へ供給される。
【００９６】
第１冷凍熱交換器（131）で蒸発した冷媒は、第２冷凍庫内回路（130b）へ流入する。この冷媒は、第２冷凍膨張弁（142）を通過する際に所定圧力に減圧されてから第２冷凍熱交換器（141）へ導入される。第２冷凍熱交換器（141）では、冷媒が庫内空気から吸熱して蒸発する。第２冷凍ショーケース（15b）では、第２冷凍熱交換器（141）で冷却された庫内空気が庫内へ供給される。
【００９７】
以上のようにして、第１冷凍ショーケース（15a）及び第２冷凍ショーケース（15b）の双方を冷却した冷媒は、ブースタ回路（150）へ流入し、ブースタ圧縮機（151）へ吸入される。ブースタ圧縮機（151）で圧縮された冷媒は、吐出管（155）を通って第１ガス側連絡配管（22）へ流入する。
【００９８】
第１ガス側連絡配管（22）では、冷蔵庫内回路（110）から送り込まれた冷媒と、ブースタ回路（150）から送り込まれた冷媒とが合流する。そして、これらの冷媒は、第１ガス側連絡配管（22）から第１吸入管（61）へ流入し、可変容量圧縮機（41）に吸入される。可変容量圧縮機（41）は、吸入した冷媒を圧縮して吐出管（64）の第１分岐吐出管（64a）へ吐出する。
【００９９】
一方、第２液管（82）の第２分岐管（82b）へ流入した冷媒は、第２液側連絡配管（23）を通じて空調回路（100）へ供給される。空調回路（100）へ流入した冷媒は、空調膨張弁（102）を通過する際に減圧されてから空調熱交換器（101）へ導入される。空調熱交換器（101）では、冷媒が室内空気から吸熱して蒸発する。空調ユニット（12）では、空調熱交換器（101）で冷却された室内空気が店内へ供給される。空調熱交換器（101）で蒸発した冷媒は、第２ガス側連絡配管（24）を通って室外回路（40）へ流入し、第１四路切換弁（51）と第２四路切換弁（52）を順に通過した後に、第２吸入管（62）を通って固定容量圧縮機（42）に吸入される。固定容量圧縮機（42）は、吸入した冷媒を圧縮して吐出管（64）の第２分岐吐出管（64b）へ吐出する。
【０１００】
《第１暖房運転》
第１暖房運転は、冷蔵ショーケース（13）、第１冷凍ショーケース（15a）、及び第２冷凍ショーケース（15b）において庫内空気の冷却を行い、空調ユニット（12）で室内空気の加熱を行って店内を暖房する運転である。
【０１０１】
図３に示すように、室外回路（40）では、第１四路切換弁（51）が第２状態に設定され、第２四路切換弁（52）が第１状態に設定され、室外膨張弁（45）が全閉される。また、空調膨張弁（102）、冷蔵膨張弁（112）の開度が適宜調整される。さらに、冷凍庫内回路（130a,130b）では、電磁弁（SV-6）が閉じた状態になると同時に、第１冷凍膨張弁（132）及び第２冷凍膨張弁（142）の開度が適宜調節される。この状態において、可変容量圧縮機（41）及びブースタ圧縮機（151）が運転され、固定容量圧縮機（42）が休止する。また、室外熱交換器（43）は、冷媒が送り込まれずに休止状態となる。
【０１０２】
可変容量圧縮機（41）から吐出された冷媒は、第２ガス側連絡配管（24）を通って空調回路（100）の空調熱交換器（101）へ導入され、室外空気へ放熱して凝縮する。空調ユニット（12）では、空調熱交換器（101）で加熱された室内空気が店内へ供給される。空調熱交換器（101）で凝縮した冷媒は、第２液側連絡配管（23）を通って室外回路（40）へ送り返され、レシーバ（44）を通過して第２液管（82）へ流入する。
【０１０３】
第２液管（82）へ流入した冷媒は、第１液側連絡配管（21）を通じて冷蔵庫内回路（110）と第１冷凍庫内回路（130a）とに分配される。そして、冷蔵ショーケース（13）及び第１，第２冷凍ショーケース（15a,15b）では、上記冷房運転時と同様に、庫内空気の冷却が行われる。冷蔵熱交換器（111）で蒸発した冷媒は、第１ガス側連絡配管（22）を通って第１吸入管（61）へ流入する。一方、第１冷凍熱交換器（131）及び第２冷凍熱交換器（141）で蒸発した冷媒は、ブースタ圧縮機（151）で圧縮された後に第１ガス側連絡配管（22）を通って第１吸入管（61）へ流入する。第１吸入管（61）へ流入した冷媒は、可変容量圧縮機（41）に吸入されて圧縮される。
【０１０４】
このように、第１暖房運転では、冷蔵熱交換器（111）及び第１，第２冷凍熱交換器（131,141）において冷媒が吸熱し、空調熱交換器（101）において冷媒が放熱する。そして、冷蔵熱交換器（111）及び第１，第２冷凍熱交換器（131,141）で冷媒が庫内空気から吸熱した熱を利用して、店内の暖房が行われる。
【０１０５】
尚、第１暖房運転では、固定容量圧縮機（42）を運転してもよい。固定容量圧縮機（42）を運転するか否かは、冷蔵ショーケース（13）及び第１，第２冷凍ショーケース（15a,15b）における冷却負荷に応じて決定される。この場合、第１吸入管（61）へ流入した冷媒は、その一部が吸入接続管（63）及び第２吸入管（62）を通って固定容量圧縮機（42）へ吸入される。
【０１０６】
《第２暖房運転》
第２暖房運転は、上記第１暖房運転と同様に店内の暖房を行う運転である。この第２暖房運転は、上記第１暖房運転では暖房能力が過剰となる場合に行われる。
【０１０７】
図４に示すように、室外回路（40）では、第１四路切換弁（51）及び第２四路切換弁（52）が第２状態に設定され、室外膨張弁（45）が全開される。また、空調膨張弁（102）、冷蔵膨張弁（112）の開度が適宜調整される。さらに、冷凍庫内回路（130a,130b）では、電磁弁（SV-6）が閉じた状態になると同時に、第１冷凍膨張弁（132）及び第２冷凍膨張弁（142）の開度が適宜調節される。この状態において、可変容量圧縮機（41）及びブースタ圧縮機（151）が運転され、固定容量圧縮機（42）が休止する。
【０１０８】
可変容量圧縮機（41）から吐出された冷媒は、その一部が第２ガス側連絡配管（24）を通って空調回路（100）の空調熱交換器（101）へ導入され、残りが吐出接続管（65）を通って室外熱交換器（43）へ導入される。空調熱交換器（101）へ導入された冷媒は、室内空気へ放熱して凝縮し、第２液側連絡配管（23）と室外回路（40）の第３液管（83）とを通ってレシーバ（44）へ流入する。室外熱交換器（43）へ導入された冷媒は、室外空気へ放熱して凝縮し、第１液管（81）を通ってレシーバ（44）へ流入する。
【０１０９】
レシーバ（44）から第２液管（82）へ流出した冷媒は、上記第１暖房運転時と同様に、第１液側連絡配管（21）を通じて冷蔵庫内回路（110）と第１冷凍庫内回路（130a）とに分配される。冷蔵ショーケース（13）及び第１，第２冷凍ショーケース（15a,15b）では、庫内空気の冷却が行われる。冷蔵熱交換器（111）で蒸発した冷媒は、第１ガス側連絡配管（22）を通って第１吸入管（61）へ流入する。一方、第１冷凍熱交換器（131）及び第２冷凍熱交換器（141）で蒸発した冷媒は、ブースタ圧縮機（151）で圧縮された後に第１ガス側連絡配管（22）を通って第１吸入管（61）へ流入する。第１吸入管（61）へ流入した冷媒は、可変容量圧縮機（41）に吸入されて圧縮される。
【０１１０】
このように、第２暖房運転では、冷蔵熱交換器（111）及び第１，第２冷凍熱交換器（131,141）において冷媒が吸熱し、空調熱交換器（101）及び室外熱交換器（43）において冷媒が放熱する。そして、冷蔵熱交換器（111）及び第１，第２冷凍熱交換器（131,141）で冷媒が庫内空気から吸熱した熱は、その一部が店内の暖房に利用され、残りが室外空気へ放出される。
【０１１１】
尚、第２暖房運転では、固定容量圧縮機（42）を運転してもよい。固定容量圧縮機（42）を運転するか否かは、冷蔵ショーケース（13）及び第１，第２冷凍ショーケース（15a,15b）における冷却負荷に応じて決定される。この場合、第１吸入管（61）へ流入した冷媒は、その一部が吸入接続管（63）及び第２吸入管（62）を通って固定容量圧縮機（42）へ吸入される。
【０１１２】
《第３暖房運転》
第３暖房運転は、上記第１暖房運転と同様に店内の暖房を行う運転である。この第３暖房運転は、上記第１暖房運転では暖房能力が不足する場合に行われる。
【０１１３】
図５に示すように、室外回路（40）では、第１四路切換弁（51）が第２状態に、第２四路切換弁（52）が第１状態にそれぞれ設定される。また、室外膨張弁（45）、空調膨張弁（102）、及び冷蔵膨張弁（112）の開度が適宜調節される。さらに、冷凍庫内回路（130a,130b）では、電磁弁（SV-6）が閉じた状態になると同時に、第１冷凍膨張弁（132）及び第２冷凍膨張弁（142）の開度が適宜調節される。この状態において、可変容量圧縮機（41）、固定容量圧縮機（42）、及びブースタ圧縮機（151）が運転される。
【０１１４】
可変容量圧縮機（41）及び固定容量圧縮機（42）から吐出された冷媒は、第２ガス側連絡配管（24）を通って空調回路（100）の空調熱交換器（101）へ導入され、室外空気へ放熱して凝縮する。空調ユニット（12）では、空調熱交換器（101）で加熱された室内空気が店内へ供給される。空調熱交換器（101）で凝縮した冷媒は、第２液側連絡配管（23）と第３液管（83）とを通ってレシーバ（44）へ流入する。レシーバ（44）から第２液管（82）へ流入した冷媒は、その一部が第１液側連絡配管（21）へ流入し、残りが第４液管（84）へ流入する。
【０１１５】
第１液側連絡配管（21）へ流入した冷媒は、冷蔵庫内回路（110）と第１冷凍庫内回路（130a）とに分配される。そして、冷蔵ショーケース（13）及び第１，第２冷凍ショーケース（15a,15b）では、上記第１暖房運転時と同様に、庫内空気の冷却が行われる。冷蔵熱交換器（111）で蒸発した冷媒は、第１ガス側連絡配管（22）を通って第１吸入管（61）へ流入する。一方、第１冷凍熱交換器（131）及び第２冷凍熱交換器（141）で蒸発した冷媒は、ブースタ圧縮機（151）で圧縮された後に第１ガス側連絡配管（22）を通って第１吸入管（61）へ流入する。第１吸入管（61）へ流入した冷媒は、可変容量圧縮機（41）に吸入されて圧縮される。
【０１１６】
一方、第４液管（84）へ流入した冷媒は、室外膨張弁（45）を通過する際に減圧されてから室外熱交換器（43）へ導入され、室外空気から吸熱して蒸発する。室外熱交換器（43）で蒸発した冷媒は、第２吸入管（62）へ流入し、固定容量圧縮機（42）へ吸入されて圧縮される。
【０１１７】
このように、第２暖房運転では、冷蔵熱交換器（111）、冷凍熱交換器（131）、及び室外熱交換器（43）において冷媒が吸熱し、空調熱交換器（101）において冷媒が放熱する。そして、冷蔵熱交換器（111）及び冷凍熱交換器（131）で冷媒が庫内空気から吸熱した熱と、室外熱交換器（43）で冷媒が室外空気から吸熱した熱とを利用して、店内の暖房が行われる。
【０１１８】
《バイパス動作》
以上のように、冷凍装置（10）における通常時の冷房運転や暖房運転では、第１冷凍ショーケース（15a）及び第２冷凍ショーケース（15b）の双方において、庫内の冷却が行われる。ここで、例えば第１冷凍ショーケース（15a）の庫内温度が充分冷えている状態となる場合、第１冷凍熱交換器（131）において無駄な冷却が行われることになる。このため、本実施形態の冷凍装置（10）では、以下のようなバイパス動作を行う。なお、ここでは、冷凍装置（10）の冷房運転時におけるバイパス動作を例にとって説明する。
【０１１９】
図６に示すように、例えば第１冷凍ショーケース（15a）の庫内温度が所定温度より低くなると、第１冷凍庫内回路（130a）の電磁弁（SV-6）が開いた状態となる一方、第１冷凍膨張弁（131）が全閉状態となる。このため、例えば冷房運転時において、第１液側連絡配管（21）より第１冷凍庫内回路（130a）に分配された冷媒は、第１冷凍膨張弁（132）及び第１冷凍熱交換器（131）を流通せず、その換わりに第１バイパス管（133）を流通する。したがって、第１冷凍熱交換器（131）では、冷媒と庫内空気との熱交換が行われない。
【０１２０】
第１バイパス管（133）を流通した冷媒は、第２冷凍膨張弁（134）を通過する際に所定圧力に減圧されてから第２冷凍熱交換器（142）へ導入される。第２冷凍熱交換器（141）では、冷媒が庫内空気から吸熱して蒸発する。第２冷凍ショーケース（15b）では、第２冷凍熱交換器（141）で冷却された庫内空気が庫内へ供給される。
【０１２１】
以上のようにして、第２冷凍ショーケース（15b）のみを冷却した冷媒は、ブースタ回路（150）へ流入し、ブースタ圧縮機（151）へ吸入される。ブースタ圧縮機（151）で圧縮された冷媒は、吐出管（155）を通って第１ガス側連絡配管（22）へ流入する。
【０１２２】
一方、このようなバイパス動作によって第１冷凍熱交換器（131）への冷媒の供給を停止すると、第１冷凍ショーケース（15a）の庫内の冷却が行われない。よってその後、所第１冷凍ショーケース（15a）の庫内温度が所定温度以上になると、第１冷凍庫内回路（130a）の電磁弁（SV-6）が再び開くと同時に第１冷凍膨張弁（132）が所定開度に調整され、上記バイパス動作が終了する。そして、上述のような通常の冷房運転が再開される。
【０１２３】
−実施形態の効果−
上記実施形態によれば、以下の効果が発揮される。
【０１２４】
上記実施形態によれば、第１と第２の冷凍熱交換器（131,141）で第１，第２冷凍ショーケース（15a,15b）の庫内を冷却する通常運転時において、冷媒を第１バイパス管（133）を介さずに第１冷凍熱交換器（131）と第２冷凍熱交換器（141）との双方に流通させるようにしている（例えば図１参照）。ここで、冷媒は、第１冷凍熱交換器（131）に流入する前に第１冷凍膨張弁（132）を通過するため、第１膨張弁（131）の開度を所定開度に調整することで、第１冷凍熱交換器（131）の冷却能力を調整することができる。同様に、冷媒は、第２冷凍熱交換器（141）に流入する前に第２冷凍膨張弁（142）を通過するため、第２冷凍膨張弁（142）の開度を調整して第２冷凍熱交換器（141）の冷却能力を調整することができる。
【０１２５】
一方、第１冷凍熱交換器（131）の冷却能力が充分であり、第１冷凍熱交換器（131）による第１冷凍ショーケース（15a）の庫内の冷却が不要な場合には、冷媒を第１バイパス管（133）を介して第２冷凍熱交換器（141）のみに流通させるバイパス動作を行うようにしている（図６参照）。よって、第１冷凍熱交換器（131）で無駄な冷却が行われてしまうことを回避できる。ここで、このような第１バイパス管（133）におけるバイパス動作時において、冷媒は、第２冷凍熱交換器（141）に流入する前に第２冷凍膨張弁（142）を通過する。したがって、第２冷凍膨張弁（142）の開度を調整して第２冷凍熱交換器（141）の冷却能力を調整することができる。
【０１２６】
<実施形態の変形例１>
次に、上記実施形態の変形例１について説明する。この変形例１は、上記実施形態と第２冷凍庫内回路（130b）の構成が異なるものである。以下に上記実施形態と異なる点のみを説明する。
【０１２７】
図７に示すように、この変形例の第２冷凍庫内回路（130b）には、第２冷凍膨張弁（142）に流入する直前の冷媒を第２冷凍熱交換器（141）の下流側にバイパスさせる第２バイパス管（133）が設けられている。第２バイパス管（143）は、一端が第２冷凍膨張弁（142）の流入端に接続され、他端が第２冷凍用熱交換器（141）の流出端に接続されている。この第２バイパス管（143）には、流量調整機構として開閉自在な電磁弁（SV-7）が備えられている。また、第２冷凍熱交換器（141）と第２バイパス管（143）の他端との間には、逆止弁（CV-9）が設けられている。逆止弁（CV-9）は、第２冷凍熱交換器（141）の流出端から第２バイパス管（143）の他端へ向かう冷媒の流通のみを許容する。
【０１２８】
この変形例１の冷凍装置（10）では、例えば第２冷凍熱交換器（141）による第２冷凍ショーケース（15b）の庫内の冷却が不要な場合に、電磁弁（SV-7）を開く一方、第２冷凍膨張弁（142）を全閉状態とすることで、冷媒を第２バイパス管（143）に導入するようにしている。よって、第２冷凍熱交換器（141）を停止させる一方、第１冷凍熱交換器（131）で第１冷凍ショーケース（15a）の庫内の冷却を行うことができる。
【０１２９】
また、この変形例１においても、第１冷凍ショーケース（15a）の庫内が過剰に冷却されている場合に、第１バイパス管（133）の電磁弁（SV-6）を開くことで、第２冷凍熱交換器（141）のみで第２冷凍ショーケース（15b）の冷却を行うこともできる。この際、第２冷凍膨張弁（142）の開度を所定開度に調整することで、第２冷凍熱交換器（141）の冷凍能力を調整することができる。
【０１３０】
<実施形態の変形例２>
次に、上記実施形態の変形例２について説明する。この変形例２は、上記実施形態と第１バイパス管（133）の構成が異なるものである。以下に上記実施形態と異なる点のみを説明する。
【０１３１】
図８に示すように、この変形例の第１バイパス管（133）は、第１冷凍ショーケース（15a）の庫内に位置するとともに、第１冷凍熱交換器（131）の伝熱管と接触するように形成された伝熱部（133a）を有している。
【０１３２】
したがって、冷凍装置（10）のパイパス動作時において、第１バイパス管（133）を流れる冷媒の熱が伝熱部（133a）を介して第１冷凍熱交換器（131）に伝導する。すなわち、比較的低温状態となる庫内空気と第１バイパス管（133）を流れる冷媒とが、第１冷凍熱交換器（131）及び伝熱部（133a）を介して熱交換し、第１バイパス管（133）を流れる冷媒が冷却される。よって、この変形例２では、第１冷凍庫内回路（130a）において冷媒の過冷却を行うことができる。したがって、第２冷凍熱交換器（141）の冷凍能力を向上させることができる。
【０１３３】
また、例えば第１冷凍熱交換器（131）に空気中の水分が付着して凍結し、霜が付いてしまう際に上述のようなバイパス動作を行うことで、第１バイパス管（133）を流れる冷媒で第１冷凍熱交換器（131）の表面を加温し、いわゆるデフロストを行うこともできる。
【０１３４】
<実施形態の変形例３>
次に、上記実施形態の変形例３について説明する。この変形例３は、上記実施形態及び上記変形例２と第１バイパス管（133）の構成が異なるものである。以下に上記実施形態と異なる点のみを説明する。
【０１３５】
図９に示すように、変形例３の第１バイパス管（133）は、一端が第１冷凍膨張弁（132）の流入端に接続され、他端が該第１冷凍膨張弁（132）と第１冷凍熱交換器（131）との間に接続されているものである。第１バイパス管（133）には、上記実施形態と同様にして、開閉自在な電磁弁（SV-6）が設けられている。
【０１３６】
この変形例３の冷凍装置（10）において、例えば冷房運転時にバイパス動作が行われると、図１０に示すように、電磁弁（SV-6）が開いた状態となる一方、第１冷凍膨張弁（131）が全閉状態となる。このため、第１冷凍庫内回路（130a）に流入した冷媒は、第１冷凍膨張弁（131）を通過せずに第１バイパス管（133）を通過し、第１冷凍熱交換器（131）に流入する。第１冷凍熱交換器（131）を流れる冷媒は、減圧されていないため、庫内空気によって蒸発せず、比較的低温状態となる庫内空気に熱を放出する。よって、この変形例３においても、第１冷凍熱交換器（131）を流れる冷媒の過冷却を行うことができる。したがって、第２冷凍熱交換器（141）の冷凍能力を向上させることができる。
【０１３７】
また、バイパス動作によって、第１冷凍熱交換器（131）に減圧されていない冷媒を流すことで、第１冷凍熱交換器（131）の表面を加温し、いわゆるデフロストを行うこともできる。
【０１３８】
《その他の実施形態》
本発明は、上記実施形態について、以下のような構成としてもよい。
【０１３９】
上記実施形態では、第１バイパス管（133）、あるいは第２バイパス管（143）の流量調整機構として開閉自在な電磁弁（SV-6,SV-7）を設けるようにしている。しかしながら、例えば図１１に示すように、このような電磁弁（ここでは、SV-6）に換えて開度可変な電動弁（137）を設けるようにしてもよい。このように流量調整機構として電動弁（137）を用いると、第１冷凍熱交換器（131）と第１バイパス管（133）との双方に所定分配比率で冷媒を流通させることができる。よって、電動弁（137）の開度に応じて第１冷凍熱交換器（131）や第２冷凍熱交換器（141）の冷凍能力を調整することができる。
【０１４０】
また、上記実施形態では、第１と第２の冷凍熱交換器（131,141）を冷媒回路（20）に直列に設けているが、この冷媒回路（20）に３つ以上の冷凍熱交換器を直列に設けるようにしてもよい。この場合には、各冷凍熱交換器に対応する複数の膨張機構及びバイパス管を冷媒回路（20）に設けることで、必要な冷凍熱交換器のみで庫内の冷却を行うことができるとともに、各冷凍熱交換器の冷却能力を個別に調整することができる。
【産業上の利用可能性】
【０１４１】
以上説明したように、本発明は、冷媒回路において、庫内を冷却するための熱交換器が直列に複数設けられた冷凍装置について有用である。
【図面の簡単な説明】
【０１４２】
【図１】実施形態に係る冷凍装置の概略構成図である。
【図２】冷房運転中の冷媒の流れを示す冷凍装置の概略構成図である。
【図３】第１暖房運転中の冷媒の流れを示す冷凍装置の概略構成図である。
【図４】第２暖房運転中の冷媒の流れを示す冷凍装置の概略構成図である。
【図５】第３暖房運転中の冷媒の流れを示す冷凍装置の概略構成図である。
【図６】バイパス動作時の冷媒の流れを示す冷凍装置の概略構成図である。
【図７】変形例１に係る冷凍装置の概略構成図である。
【図８】変形例２に係る冷凍装置の概略構成図である。
【図９】変形例３に係る冷凍装置の概略構成図である。
【図１０】変形例３のバイパス動作時の冷媒の流れを示す冷凍装置の概略構成図である。
【図１１】その他の実施形態に係る冷凍装置の概略構成図である。
【図１２】従来技術に係る冷凍装置の概略構成図である。
【符号の説明】
【０１４３】
(10)   冷凍装置
（20）  冷媒回路
（30）  冷凍回路
（40）  室外回路（熱源側回路）
（41）  可変容量圧縮機（主圧縮機）
（43）  室外熱交換器（熱源側熱交換器）
（110） 冷蔵庫内回路
（111） 冷蔵熱交換器
（130a）第１冷凍庫内回路
（130b）第２冷凍庫内回路
（131） 第１冷凍熱交換器（第１冷却熱交換器）
（132） 第１冷凍膨張弁（第１膨張機構）
(133)  第１バイパス管
(137)  電動弁（流量調整機構）
（141） 第２冷凍熱交換器（第２冷却熱交換器）
（142） 第２冷凍膨張弁（第２膨張機構）
（143)  第２バイパス管
（151） ブースタ圧縮機（副圧縮機）
(SV-6) 電磁弁（流量調整機構）
【図１】
2006078014.tif 000003
【図２】
2006078014.tif 000004
【図３】
2006078014.tif 000005
【図４】
2006078014.tif 000006
【図５】
2006078014.tif 000007
【図６】
2006078014.tif 000008
【図７】
2006078014.tif 000009
【図８】
2006078014.tif 000010
【図９】
2006078014.tif 000011
【図１０】
2006078014.tif 000012
【図１１】
2006078014.tif 000013
【図１２】
2006078014.tif 000014